(57)【要約】【課題】簡単な操作で集塊化した内容物を効率よく破砕可能な粉体容器を提供する。【解決手段】粉体容器１０は、上端面が開口した筒状の側壁１６を有する容器本体１２と、側壁１６の上端部に装着されるキャップ１４と、容器本体１２内の集塊化した内容物を破砕する破砕用リブとを備え、破砕用リブは、容器本体１２の軸線Ｘに沿う上下方向および該軸線Ｘ周りの周方向の双方に対して傾斜して延びる複数の傾斜リブ２０を有する。【選択図】図１
2019131239.tif 000002
【特許請求の範囲】
【請求項１】
上端面が開口した筒状の側壁を有する容器本体と、前記側壁の上端部に装着されるキャップとを備える粉体容器であって、
前記容器本体内の集塊化した内容物を破砕する破砕用リブを備え、
前記破砕用リブは、前記容器本体の軸線に沿う上下方向および該軸線周りの周方向の双方に対して傾斜して延びる複数の傾斜リブを有することを特徴とする粉体容器。
【請求項２】
前記破砕用リブは、前記容器本体の前記上端部に対応する位置に配置されている、請求項１に記載の粉体容器。
【請求項３】
前記破砕用リブは、前記傾斜リブに隣接して配置されるとともに前記容器本体の前記軸線に沿って延びる垂直リブを有する、請求項１または２に記載の粉体容器。
【請求項４】
前記傾斜リブと前記垂直リブとは、前記上下方向の位置をずらして配置されている、請求項３に記載の粉体容器。
【請求項５】
前記垂直リブはその下面に鋸歯状の凹凸を有する、請求項３または４に記載の粉体容器。
【発明の詳細な説明】
【技術分野】
【０００１】
本発明は、上端面が開口した筒状の側壁を有する容器本体と、側壁の上端部に装着されるキャップとを備える粉体容器の改良に関する。
【背景技術】
【０００２】
容器に収容する粉体の中には、例えば吸湿性があり開封後内容物を途中まで使用した場合に空気中の水分を吸収するなどして集合し、塊となるものがある。このように塊となった内容物は、キャップに形成された排出口の口径よりも小さい場合には塊のまま排出され、排出口の口径よりも大きい場合には排出口を塞いで内容物の排出を阻害することがある。そのため、内容物が集塊化した場合には、容器を叩く、もしくはキャップを外してスプーンなどで掻き混ぜるなどの作業が必要となり、煩わしさがあった。
【０００３】
この点に鑑み、特許文献１には、容器体の周壁の上端部にキャップ本体を装着してなる振り出し容器であって、キャップ本体の頂壁下面に先端が尖った塊化粉体破砕用の突起を一体に垂設してなるものが提案されている。
【先行技術文献】
【特許文献】
【０００４】
【特許文献１】特開平８−９１４０５号公報
【発明の概要】
【発明が解決しようとする課題】
【０００５】
特許文献１の容器では、塊化粉体破砕用の突起は上下に真直ぐに形成されているため、塊破砕のため容器を上下に振った場合に、塊のほとんど同じ部分しか突起に接触せず、効率よく破砕できない場合もあり、破砕の効率性という点で改良の余地があった。
【課題を解決するための手段】
【０００６】
本発明の粉体容器は、上端面が開口した筒状の側壁を有する容器本体と、前記側壁の上端部に装着されるキャップとを備え、上記課題を解決するため、前記容器本体内の集塊化した内容物を破砕する破砕用リブを備え、前記破砕用リブは、前記容器本体の軸線に沿う上下方向および該軸線周りの周方向の双方に対して傾斜して延びる複数の傾斜リブを有する。
【発明の効果】
【０００７】
本発明の粉体容器にあっては、粉体容器を上下に振るか、あるいは内容物を振り出す動作を行うことで、粉体容器内の粉体の塊は傾斜リブの先端に接触して破砕され、それに加えて、当該塊には傾斜リブにより回転力が付与され、粉体容器を繰り返し振る度に、塊の異なる部分が傾斜リブに接触して破砕される。したがって、容器を振るという簡単な動作だけで、集塊化した内容物を効率的に破砕することができる。
【０００８】
なお、本発明の粉体容器にあっては、前記破砕用リブは、前記容器本体の前記上端部に対応する位置に配置することが好ましく、このようにすれば、塊が破砕用リブに接触するまでの距離を大きくとることができるので、例えば粉体容器を上下に振った際に塊を破砕用リブに勢いよく衝突させてより確実に破砕することが可能になる。
【０００９】
また、本発明の粉体容器にあっては、前記破砕用リブは、前記傾斜リブに隣接して配置されるとともに前記容器本体の前記軸線に沿って延びる垂直リブを有することが好ましく、このようにすれば、傾斜リブとの接触によって塊（例えば内容物全体が固化した場合の塊）の外周を破砕した後、残った部分（傾斜リブによって破砕されなかった部分）を垂直リブによって砕くことが可能になる。
【００１０】
さらに、本発明の粉体容器にあっては、前記傾斜リブと前記垂直リブとは、前記上下方向の位置をずらして配置することが好ましく、このようにすれば、傾斜リブとの接触によって外周が砕けた塊をより確実に垂直リブに衝突させて破砕することが可能になる。
【００１１】
さらに、本発明の粉体容器にあっては、前記垂直リブはその下面に鋸歯状の凹凸を有することが好ましく、このようにすれば、垂直リブの下面に衝突する塊を鋸歯状の凹凸によってより細かく破砕することができる。なお、垂直リブの下面は平坦でもよい。
【図面の簡単な説明】
【００１２】
【図１】本発明に従う一実施形態の粉体容器を一部断面で示す側面図である。
【図２】図１の粉体容器を一部切り欠いて示す斜視図である。
【図３】図２の粉体容器を異なる方向から示した斜視図である。
【図４】図１〜図３の粉体容器の使用状態を示す図である。
【図５】図１に示した実施形態の粉体容器の変形例を一部断面で示す側面図である。
【発明を実施するための形態】
【００１３】
以下、本発明の実施の形態を図面を参照して説明する。
【００１４】
図１に示すように、一実施形態の粉体容器１０は、各々合成樹脂からなる容器本体１２とキャップ１４とを備える。粉体容器１０は、例えば粉チーズや粉末洗剤など容器内で固化し易い内容物を収容するのに適しているが、内容物はこれらに限定されない。容器本体１２は、上端面が開口した筒状の側壁１６と、側壁１６の下端面を閉塞する底板１８とを有する。図示例において、側壁１６と底板１８とは別体であり、それぞれの嵌合部１６ａ，１８ａを介して互いに接合されているが、容器本体１２は、側壁１６および底板１８が一体的に形成された一体成形品でもよい。
【００１５】
粉体容器１０には、容器本体１２内の集塊化した内容物を破砕する破砕用リブが設けられている。破砕用リブは、図２および図３にも示すように、容器本体１２の側壁１６の内面上に形成された、容器本体１２の軸線Ｘに沿う上下方向および該軸線Ｘ周りの周方向の双方に対して傾斜して延びる（すなわち螺旋状に延びる）複数の傾斜リブ２０を有する。好ましくは、傾斜リブ２０は周方向に等間隔に形成されている。図示例において、一群の傾斜リブ２０は側壁１６の上部に形成されているが、側壁１６の中間部もしくは下部に形成してもよく、あるいは、側壁１６の高さ方向の複数箇所、例えば側壁１６の上部および中間部にそれぞれ形成してもよい（図示省略）。
【００１６】
傾斜リブ２０は、粉体の塊が接触した際にこの塊を破砕するとともに塊に回転力を加えるものであり、この観点から傾斜リブ２０の、上下方向に対する傾斜角度は４５度未満に設定することが好ましい。これにより、例えば粉体容器１０を上下に振った際に、傾斜リブ２０に接触した塊を確実に回転させることができる。
【００１７】
破砕用リブはまた、傾斜リブ２０に隣接して側壁１６の内面から側壁１６内側へ向けて突出する少なくとも１つ、図示例では複数の垂直リブ２２を有する。好ましくは、垂直リブ２２は、周方向で隣り合う傾斜リブ２０間に対応する周方向位置に形成される。垂直リブ２２の側面は軸線Ｘと平行に延在する。図示例において垂直リブ２２は、その両端が側壁１６の対向する内面部分で支持されるとともに他の垂直リブ２２と交差するよう形成されているが、垂直リブ２２を図示のものよりも短く形成して、側壁１６で片持ち支持するようにしてもよい（図示省略）。垂直リブ２２の数は、図示例に限定されず、１つでもよい。
【００１８】
より好適な例では、傾斜リブ２０と垂直リブ２２とは、上下方向の位置をずらして配置されている。垂直リブ２２は傾斜リブ２０に対して上側、つまりキャップ１４側に配置されている。図示例では、傾斜リブ２０の上端部と垂直リブ２２の下端部とが周方向に沿って見て上下方向で互いにオーバーラップする。
【００１９】
キャップ１４は、容器本体１２の側壁１６の上端部に装着されている。キャップ１４と側壁１６とは各々に形成されたねじ部１４ａ，１６ｂを介して着脱自在に連結されているが、キャップ１４は、例えば図示しないアルミシールを剥がすことによる容器開封などに際して着脱自在であれば圧入、もしくはアンダーカットのような係合部を介して側壁１６の上端部に連結してもよい。
【００２０】
キャップ１４は、内面に上記ねじ部１４ａが形成された装着筒２４と、装着筒２４の上端に形成された天板２６とを有する。天板２６には、容器内部に収容された粉体を排出する排出口１４ｂと、天板２６にヒンジ１４ｃを介して開閉自在に保持され、排出口１４ｂを塞ぐ蓋体２８とが形成されている。図１等に示す断面図では排出口１４ｂは一つしか確認できないが、排出口１４ｂは複数形成されていてもよく、この場合、隣接する排出口１４ｂ間に仕切りリブ（図示省略）を設けて、この仕切りリブによっても集塊化した内容物を破砕するようにしてもよい。また、大小異なる大きさの排出口１４ｂおよび該排出口１４ｂを塞ぐ蓋体２８をキャップ１４の例えば前方部と後方部とにそれぞれ設けて、所望の排出量に応じて排出口１４ｂを使い分けるようにしてもよい。
【００２１】
次いで、上記構成を備える粉体容器１０の使用態様について説明する。粉体容器１０内に粉体の塊がない場合には、図４に示すように、蓋体２８を開け、粉体容器１０を傾けるかもしくは傾けた状態で振ることで内容物を排出することができる。粉体容器１０内に粉体の塊がある場合（内容物全体が固化した場合も含む）には、蓋体２８を閉じた状態で粉体容器１０を上下に振るか、あるいは蓋体２８を開け内容物を振り出す動作を行うことで、粉体容器１０内の粉体の塊は傾斜リブ２０の先端に接触して破砕され、それに加えて、当該塊には螺旋状の傾斜リブ２０を通過する過程で回転力が付与され、二度、三度と粉体容器１０を繰り返し振る度に、塊の異なる部分が傾斜リブ２０に接触して破砕される。したがって、粉体容器１０を振るという簡単な動作だけで、集塊化した内容物を効率的に破砕することができる。
【００２２】
また、本実施形態の粉体容器１０によれば、傾斜リブ２０に隣接して側壁１６の内面から突出する垂直リブ２２が設けられているので、傾斜リブ２０との接触によって塊（例えば内容物全体が固化した場合の塊）の外周を破砕した後、残った部分（傾斜リブ２０によって粉砕されなかった部分）を垂直リブ２２によって砕くことが可能になる。
【００２３】
さらに、本実施形態の粉体容器１０によれば、傾斜リブ２０と垂直リブ２２とが、上下方向の位置をずらして配置されているので、傾斜リブ２０との接触によって外周が砕けた塊をより確実に垂直リブ２２に衝突させて破砕することが可能になる。
【００２４】
図５は、図１〜図４を参照して説明した粉体容器１０の変形例を一部断面で示す側面図である。この粉体容器１０は、垂直リブ２２の下面に鋸歯状の凹凸２２ａを有する点で異なり、垂直リブ２２の下面に衝突する塊は鋸歯状の凹凸２２ａによってより細かく破砕される。その他の構成は、図１〜図４を参照して説明した粉体容器１０と同じであるので詳細な説明は省略する。
【００２５】
以上、図示例に基づき本発明を説明したが、本発明は上述の実施形態に限定されず、種々の変更、追加、修正が可能であり、例えば、上述の実施形態では、容器本体１２側に傾斜リブ２０および垂直リブ２２を有する破砕用リブを設けたが、破砕用リブはキャップ１４の天板２６の下面から容器本体１２の上端部内に突出するようにして設けてもよい。
【産業上の利用可能性】
【００２６】
本発明の粉体容器によれば、簡単な操作で集塊化した内容物を効率よく破砕することができる。
【符号の説明】
【００２７】
１０  粉体容器
１２  容器本体
１４  キャップ
１４ａ  ねじ部
１４ｂ  排出口
１４ｃ  ヒンジ
１６  側壁
１６ａ  嵌合部
１６ｂ  ねじ部
１８  底板
１８ａ  嵌合部
２０  傾斜リブ
２２  垂直リブ
２４  装着筒
２６  天板
２８  蓋体
Ｘ  軸線
【図１】
2019131239.tif 000003
【図２】
2019131239.tif 000004
【図３】
2019131239.tif 000005
【図４】
2019131239.tif 000006
【図５】
2019131239.tif 000007